(57)【特許請求の範囲】
【請求項１】
対向機器との接続によって光量が変化する入射光を検出する受光部と、
前記受光部の検出した前記入射光の光量と閾値との比較に応じて前記対向機器との接続状態を判定し、  
正常に接続していると判定した場合に前記対向機器とのデータ送受信を行う制御部と、を備える医療機器。
【請求項２】
前記対向機器のコネクタが挿入される挿入口と、
前記挿入口に対して発射光を出力する発光部と、を備え、
前記受光部は、前記入射光として前記発光部の出力した前記発射光を検出する、請求項１に記載の医療機器。
【請求項３】
前記制御部により前記対向機器が接続されていると判定された場合、前記対向機器に対してワイヤレスでの給電を行う送電コイルを有する、請求項１または請求項２に記載の医療機器。
【請求項４】
前記入射光は赤外線であり、
前記受光部は、前記赤外線を受信することにより前記対向機器からのデータ受信を行う、ことを特徴とする請求項１〜３のいずれか１項に記載の医療機器。
【請求項５】
前記発光部は、赤外線の送信により前記対向機器へのデータ送信を行う、ことを特徴とする請求項２に記載の医療機器。
【請求項６】
前記制御部により前記コネクタが接続されていると判定された場合に前記コネクタを前記挿入口に固定する固定機構を有する、ことを特徴とする請求項２に記載の医療機器。
【請求項７】
前記制御部は、前記入射光の光量が第１閾値以上であり、かつ第２閾値以下である場合、前記対向機器との接続が不充分であると判定する、ことを特徴とする請求項１〜６のいずれか１項に記載の医療機器。
【請求項８】
前記制御部により前記対向機器との接続が不充分であると判定された場合に報知を行う報知部を更に備える、ことを特徴とする請求項７に記載の医療機器。
【請求項９】
前記挿入口は非金属によって構成されている、ことを特徴とする請求項２に記載の医療機器。
【請求項１０】
前記挿入口及び前記コネクタは円柱形状である、ことを特徴とする請求項２に記載の医療機器。
【請求項１１】
第１医療機器と第２医療機器を備え、
前記第１医療機器は、
前記第２医療機器との接続によって光量が変化する入射光を検出する受光部と、
前記受光部の検出した前記入射光の光量と閾値との比較に応じて、前記第１医療機器との接続状態を判定する制御部と、を備え、
前記第１医療機器及び前記第２医療機器は、前記制御部により前記第１医療機器と前記第２医療機器が正常に接続していると判定された場合、相互にデータ送受信を行う、
医療機器システム。
【請求項１２】
前記第１医療機器及び前記第２医療機器は、光通信によって相互のデータの送受信を行う、ことを特徴とする請求項１１に記載の医療機器システム。
【請求項１３】
前記第１医療機器は、前記制御部により前記第１医療機器と前記第２医療機器が接続していると判定された場合、前記第２医療機器に対してワイヤレスでの送電を行う送電コイルを有する、ことを特徴とする請求項１１または請求項１２に記載の医療機器システム。
【請求項１４】
前記第１医療機器と前記第２医療機器の接触面は、それぞれ平面的に構成されている、ことを特徴とする請求項１１〜１３のいずれか１項に記載の医療機器システム。
【発明の詳細な説明】
【技術分野】
【０００１】
本発明は医療機器、医療機器システム、及びセンサデバイスに関する。
【背景技術】
【０００２】
生体情報モニタをはじめとする医療機器は、各種のセンサプローブと接続する。この接続は、物理的なピンコネクタを介して行われる。また搬送用の小型ターミナルモニタと病棟等に設置されるホストモニタについて検討すると、両者は電気的な接点を持った入力コネクタを介して接続される。このような医療機器間の接続に関する技術として例えば特許文献１には、パルスオキシメータと生体情報モニタの間の電気的な接続を行うコネクタ（ケーブル）が開示されている。
【先行技術文献】
【特許文献】
【０００３】
【特許文献１】米国特許出願公開第２０１３／００７９６０９号明細書
【非特許文献】
【０００４】
【非特許文献１】ベッドサイドモニタ BSM-1700 シリーズ ライフスコープＰＴ, [online]、[平成２７年２月２３日検索]、インターネット<URL: http://www.nihonkohden.co.jp/iryo/products/monitor/01_bedside/bsm1700.html>
【発明の概要】
【発明が解決しようとする課題】
【０００５】
ところで一般的な医療機器用ピンコネクタ（特許文献１のコネクタ（ケーブル）を含む）は、漏れ電流の問題、及び劣化や破損に起因する接続不良等が生じる恐れがあった。またこれらの医療機器用ピンコネクタは、装置の消毒や洗浄に不便な場合があるという問題があった。
【０００６】
本発明は、このような問題に鑑みてなされたものであって、一般的な医療機器用ピンコネクタの問題点を解消する接続機構を有する医療機器、及び医療機器システムを提供することを主たる目的とする。
【課題を解決するための手段】
【０００７】
本発明にかかる医療機器の一態様は、
対向機器との接続によって光量が変化する入射光を検出する受光部と、
前記受光部の検出した前記入射光の光量に応じて前記対向機器との接続状態を判定し、
接続していると判定した場合に前記対向機器とのデータ送受信の制御を行う制御部と、を備える、ものである。
【０００８】
上記の構成において医療機器は、対向機器の接続に応じて光量が変化する入射光を基に、対向機器の接続を検知している。すなわち医療機器は、物理的なピンを用いることなく対向機器の接続を検出している。これにより、物理的なピンを用いていた際に問題となった各種の問題（漏れ電流、物理的ピンの破損による接続不良、形状複雑化による装置の消毒／洗浄の不便性）を解決することができる。
【０００９】
本発明にかかる医療機器システムの一態様は、
第１医療機器と第２医療機器を備え、
前記第１医療機器は、
前記第２医療機器との接続によって光量が変化する入射光を検出する受光部と、
前記受光部の検出した前記入射光の光量に応じて、前記第１医療機器との接続状態を判定する制御部と、を備え、
前記第１医療機器及び前記第２医療機器は、前記制御部により前記第１医療機器と前記第２医療機器が接続していると判定された場合、相互にデータ送受信を行う、ものである。
【００１０】
上記の構成において第１医療機器は、第２医療機器の接続に応じて光量が変化する入射光を基に、第２医療機器の接続を検知している。すなわち第１医療機器は、物理的なピンを用いることなく第２医療機器の接続を検出している。これにより、物理的なピンを用いていた際に問題となった各種の問題（漏れ電流、物理的ピンの破損による接続不良、形状複雑化による装置の消毒／洗浄の不便性）を解決することができる。
【発明の効果】
【００１１】
本発明は、一般的な医療機器用ピンコネクタの問題点を解消する接続機構を有する医療機器、及び医療機器システムを提供することができる。
【図面の簡単な説明】
【００１２】
【図１】実施の形態１にかかる医療機器システム１の構成を示す概念図である。
【図２】実施の形態１にかかる医療機器システム１の構成を示す概念図である。
【図３】実施の形態１にかかる医療機器システム１の構成を示すブロック図である。
【図４】実施の形態１にかかる制御部１８の処理の流れを示すフローチャートである。
【図５】実施の形態２にかかる医療機器システム１の構成を示す概念図である。
【図６】実施の形態２にかかる医療機器システム１の構成を示す概念図である。
【発明を実施するための形態】
【００１３】
＜実施の形態１＞
以下、図面を参照して本発明の実施の形態について説明する。図１は、本実施の形態にかかる医療機器システム１の構成を示す概念図である。医療機器システム１は、２つの医療機器（第１医療機器、第２医療機器）を有する。以下の説明では第１医療機器は生体情報モニタ１０であり、第２医療機器はセンサデバイス２０とする。なお実施の形態２に示すように他の医療機器の組み合わせであってもよく、第１医療機器は除細動器等であってもよい。
【００１４】
生体情報モニタ１０は、発光部１１、受光部１２、送電コイル１３、挿入口１４、固定機構１５、及び電源プラグ１６を備える。また生体情報モニタ１０は、図示しない記憶部、制御部１８（図３において図示する。図１においては不図示）、表示部等についても備える。なお図１の例では説明の明確化のため、生体情報モニタ１０は挿入口１４を一つのみ有する構成を図示しているが、実際には複数のセンサデバイス２０と接続可能な構成である。
【００１５】
生体情報モニタ１０は、例えば各種の生体データをディスプレイに表示するものである。ここで生体データとは、例えば心電図（ＥＣＧ）、心拍数、血圧、体温、動脈血酸素飽和度、心拍出量、脈拍数等のデータである。
【００１６】
センサデバイス２０は、被験者の体表から生体データを取得するものであり、例えばＳｐＯ２プローブ、心電図電極、血圧測定用のカフ、をはじめとするバイタルセンサである。センサデバイス２０は、コネクタ２１とセンシング部２５を備える。またコネクタ２１の内部には、発光部２２、受光部２３、及び受電コイル２４を有する。センサデバイス２０は、コネクタ２１を挿入口１４に差し込むことにより生体情報モニタ１０と接続する。図２は、生体情報モニタ１０とセンサデバイス２０が接続状態となっている場合の構成を示す概念図である。
【００１７】
この図１と図２を参照して、生体情報モニタ１０及びセンサデバイス２０の各処理部の構成について説明する。はじめに生体情報モニタ１０の各処理部の動作について説明する。
【００１８】
発光部１１は、挿入口１４に対して発射光を出射する。この発射光は、コネクタ２１の非挿入時（図１）には受光部１２に入射する。また発射光は、コネクタ２１の挿入時（図２）には受光部２３に入射する。この受光部２３に対する入射により、生体情報モニタ１０からセンサデバイス２０へのデータ送信を行う。すなわち発光部１１は、光通信によりデータを送信する。そのため発射光は、例えば送信データが埋め込まれた赤外線であればよい。
【００１９】
受光部１２は、対向機器であるセンサデバイス２０との接続によって光量が変化する入射光を検出する。本例では発光部１１からの発射光を、センサデバイス２０の接続を検知するための入射光として扱う。発光部１１からの発射光は、コネクタ２１の非挿入時（図１）には受光部１２に入射する。一方、発光部１１からの発射光は、コネクタ２１の挿入時（図２）には受光部１２に入射しない。受光部１２は、この入射光（発光部１１からの発射光）の光量を検知する。
【００２０】
また受光部１２は、コネクタ２１の接続後に発光部２２からのデータ受信も行う。すなわち発光部２２は、データが埋め込まれた発射光（例えば赤外線）を受信する。換言すると受光部１２は、データ受信を行う受信部としても動作する。
【００２１】
電源プラグ１６は、電源コンセント等から電源供給を受ける。送電コイル１３は、コネクタ２１が接続状態となった後に、センサデバイス２０の受電コイル２４に対してワイヤレスでの電源供給を行う。送電コイル１３は、例えば電磁誘導の原理を用いて受電コイル２４に対して電源供給を行えばよい。
【００２２】
挿入口１４は、コネクタ２１が挿入される空洞である。挿入口１４の形状には特に限定はないものの、細長の円筒形状の穴であることが好ましい。挿入口１４は、物理的なピンを有する構成ではなく、表面が非金属により構成される。
【００２３】
固定機構１５は、挿入口１４の入り口付近に設けられ、コネクタ２１が挿入された際にコネクタ２１が外れないように固定する。例えば固定機構１５は、コネクタ２１を固定するツメのような形状であればよい。なお固定機構１５は、必ずしも挿入口１４の入り口付近に設けられる必要はなく、コネクタ２１を固定するものであればどのような形状や構成であってもよい。
【００２４】
続いてセンサデバイス２０の各構成について説明する。コネクタ２１は、挿入口１４に挿入される接続部である。コネクタ２１は、物理的なピンを有する構成ではなく、表面が非金属により構成される。コネクタ２１の形状は特に限定されないものの、図示するように表面に凹凸がない円柱形状であることが好ましい。当該形状であることにより、洗浄が容易となり、清潔を保つことが容易となる。
【００２５】
発光部２２は、コネクタ２１が挿入口１４に挿入されている場合に（図２）、生体データ等の各種データを発射光として受光部１２に対して送信する。当該発射光は、例えば赤外線である。
【００２６】
受光部２３は、コネクタ２１が挿入口１４に挿入されている場合に（図２）、制御データ等の各種データを発光部１１から受信する。受光部２３は、入射光（例えば赤外線）を受光することによって各種のデータを受信する。なお発光部２２と受光部２３は、生体情報モニタ１０からの接続確立に関する通知の後にデータの送受信を行ってもよい。例えば生体情報モニタ１０は、発光部１１を介して給電後に接続確立に関する特殊コードを発光部２２に送信する。当該特殊コードを受信した後にセンサデバイス２０（受光部２３、発光部２２）は、データ送受信を開始すればよい。
【００２７】
受電コイル２４は、送電コイル１３からのワイヤレスでの電源供給を受ける。受電コイル２４は、例えば電磁誘導の原理を利用して電源供給を受ければよい。センサデバイス２０は、受電コイル２４が受けた電源供給により各種の動作を行う。
【００２８】
センシング部２５は、被験者の体表に取り付けられる電極やプローブ等である。センシング部２５は、被験者から生体データを取得する。当該生体データは、発光部２２を介して生体情報モニタ１０に送信される。
【００２９】
続いて図３を参照して、医療機器システム１の構成について更に説明する。図３は、医療機器システム１の機能的な構成を示すブロック図である。図３において図１及び図２と同一の名称及び符号を付した処理部は、図１及び図２と同様の処理部である。以下、図３を参照して制御の流れやデータの流れを説明する。
【００３０】
生体情報モニタ１０は、図１や図２には図示しなかった報知部１７、制御部１８、及び操作部１９を更に有する。報知部１７は、生体情報モニタ１０の筐体上に設けられた液晶ディスプレイやスピーカを含むものである。報知部１７は、被験者から取得した生体データを基にした各種パラメータの波形や測定値を表示するとともに、異常値である場合にはアラーム音等で通知する。制御部１８は、生体情報モニタ１０の各種の制御を行う。制御部１８は、制御回路や各種のプログラムを読み出して実行するＣＰＵ（Central Processing Unit）を含む概念である。制御部１８は、後述するようにコネクタ１４の接続判定を行うと共に、データ送受信の制御を行う。操作部１９は、操作者（医師や看護師等）が操作を行うインターフェイスであり、例えば生体情報モニタ１０の筐体上に設けられたボタンやツマミである。なお操作部１９と報知部１７は、タッチパネルとして一体化されていてもよい。
【００３１】
はじめに操作部１９の操作（電源ＯＮボタンの押下等）により生体情報モニタ１０が動作状態となる。電源ＯＮとなった後に、制御部１８は発光部１１からの発光を開始させる。発光部１１は、制御部１８からの制御に応じてコネクタ２１の接続検出のための発射光の出射をはじめる。
【００３２】
受光部１２は、発光部１１が発射した光の入射光量を検出し、検出した入射光量を制御部１８に定期的に通知する。制御部１８は、受光部１２が検出した入射光量（換言すると入射光の検出状態）を基にコネクタ２１の接続状態（接続、未接続、接続不充分）を検出する。
【００３３】
詳細には制御部１８は、発光部１１からの入射光量が第１閾値以上である場合（充分な光量がある場合）、コネクタ２１が未接続と判定する。一方、発光部１１からの入射光量が第２閾値以下である場合（光量がほとんど無い場合）、制御部１８はコネクタ２１が接続されたと判定する。
【００３４】
また制御部１８は、挿入口１４に対するコネクタ２１の接続不充分を検出してもよい。すなわち制御部１８は、発光部１１からの入射光量が第１閾値未満であり第２閾値以上である場合、コネクタ２１が挿入されているものの挿入口１４への接続不充分（奥まで挿入されていない）と判定する。接続不充分を検出した場合、制御部１８は報知部１７に所定の報知（アラーム音の出力、接続不充分の表示）を行わせる。
【００３５】
制御部１８はコネクタ２１の挿入を検出した後に、送電コイル１３に送電を開始させる。受電コイル２４は、送電コイル１３からの電源供給をうける。これによりセンサデバイス２０は、電源ＯＮの状態となる。
【００３６】
その後に制御部２６は、センシング部２５の制御を行い、生体データの取得を行う。制御部２６は、取得した生体データを発光部２２を介して生体情報モニタ１０に送信する。
【００３７】
また制御部１８は、発光部１１を介してセンサデバイス２０に対してデータ（例えば制御内容を示すデータ）を送信する。制御部２６は、受光部２３を介して生体情報モニタ１０からのデータを受信し、データに応じた制御等を行う。すなわち生体情報モニタ１０とセンサデバイス２０は、相互にデータ送受信を行う。
【００３８】
図４を参照して、生体情報モニタ１０内の制御部１８の処理の流れを改めて説明する。図４は、生体情報モニタ１０内の制御の流れを示すフローチャートである。制御部１８は、受光部１２から入射光量の情報を適宜受信する（Ｓ１１）。制御部１８は入射光量が第１閾値以上（充分な光量）と判断した場合、コネクタ２１が未接続であると判定し（Ｓ１２）、引き続きコネクタ２１の接続判定を行う。
【００３９】
制御部１８は入射光量が第１閾値未満だが第２閾値以上と判断した場合、コネクタ２１の挿入口１４への接続不充分と判定する（Ｓ１３）。そのため制御部１８は、報知部１７に対してコネクタ２１の接続不充分を報知させる（Ｓ１４）。例えば報知部１７は、ディスプレイに「コネクタが奥まで挿入されていません。」といったメッセージを表示する（Ｓ１４）。
【００４０】
制御部１８は入射光量が第２閾値以下と判断した場合、コネクタ２１が挿入口１４に正常に接続されたと判定する（Ｓ１５）。この場合に制御部１８は、送電コイル１３を介してセンサデバイス２０に送電を行う（Ｓ１６）。そして制御部１８は、発光部１１及び受光部１２を介してセンサデバイス２０とのデータ送受信を行う（Ｓ１７）。
【００４１】
続いて本実施の形態にかかる医療機器システム１の効果について説明する。上述のように生体情報モニタ１０（第１医療機器）は、対向機器であるセンサデバイス２０（第２医療機器）の接続に応じて光量が変化する入射光を基に、センサデバイス２０の接続を検知している。すなわち生体情報モニタ１０は、物理的なピンを用いることなくセンサデバイス２０の接続を検出している。これにより、物理的なピンを用いていた際に問題となった各種の問題（漏れ電流、物理的ピンの破損による接続不良、形状複雑化による装置の消毒／洗浄の不便性）を解決することができる。
【００４２】
また発光部１１の発射光は、コネクタ２１の接続検出に用いられると共に、センサデバイス２０へのデータ送信にも利用される。接続検出とデータ送信を同一発光源を用いて行うことが出来るため、装置の単純化や部品削減を図ることができる。
【００４３】
同様に受光部１２は、コネクタ２１の接続検出のための光量検出を行うと共に、センサデバイス２０からのデータ受信も行う。接続検出とデータ受信を同一処理部で行うために、装置の単純化や部品削減を図ることができる。
【００４４】
さらに生体情報モニタ１０は、コネクタ２１との接続後に、送電コイル１３を介してセンサデバイス２０に電源供給を行う。これによりセンサデバイス２０内における電源が不要となり、装置の簡素化を図ることができる。
【００４５】
また生体情報モニタ１０は、コネクタ２１が接続された場合に、コネクタ２１を挿入口１４に固定する固定機構１５を有する。これにより生体情報モニタ１０の使用時に、コネクタ２１が意図せずに外れてしまうことを防止できる。
【００４６】
また制御部１８は、受光部１２への光量を２つの閾値と比較することにより、コネクタ２１接続不充分を検出している。これにより生体情報モニタ１０は、使用者がコネクタ２１を挿入していると感じているが実際には正しく接続できていない場合に、適切な報知を行うことができる。
【００４７】
また図１及び図２に示すように、挿入口１４及びコネクタ２１は凹凸のない円柱形状であることが望ましい。これによりコネクタ２１の差し込み方向に限定がなくなり、素早い接続を行うことができる。また凹凸のない円柱形状であることにより、洗浄や消毒を容易に行うことができる。
【００４８】
（変形例）
以上の説明では、生体情報モニタ１０及びセンサデバイス２０の好適例について説明した。しかしながら物理的なピンを用いずに生体情報モニタ１０とセンサデバイス２０を接続する構成には様々なものがある。以下、変形例について言及する。
【００４９】
例えば生体情報モニタ１０が送電コイル１３を有さず、センサデバイス２０が受電コイル２４を持たない構成とすることもできる。この場合、センサデバイス２０は例えば蓄電池を内部に有する。当該構成であったとしても、物理的なピンによる接続が不要となる。
【００５０】
送電コイル１３による給電を行わない場合、生体情報モニタ１０はセンサデバイス２０からの発光を利用してセンサデバイス２０の接続を検出してもよい。すなわちセンサデバイス２０内の発光部２２は、接続前から発光を行う。制御部１８は、受光部１２を介して発光部２２からの入射光を検出する。入射光は、コネクタ２１がどこまで挿入口１４に挿入されたかによって光量が変化する。センサデバイス２０から受光部１２への入射光が所定レベル以上となった場合、制御部１８はセンサデバイス２０が接続されたと判定する。当該構成であってもコネクタ２１の表面に金属部分が必要とならないため、物理的なピンによる接続による種々の問題を解決できる。
【００５１】
また発光部１１及び受光部１２は、コネクタ２１の接続検出のためにのみ発光／受光を行ってもよい。この場合、生体情報モニタ１０及びセンサデバイス２０は、近距離用の音波データ通信やコイルによるデータ通信を行う。当該構成であってもコネクタ２１の表面に金属部分が必要とならないため、物理的なピンによる接続による種々の問題を解決できる。
【００５２】
また挿入口１４及びコネクタ２１の形状は円柱形上のみならず、角柱形状等であってもよい。この場合には挿入の容易性が若干悪くなるものの、接続時にコネクタ２１が回転してしまうことを防止することができる。
【００５３】
（センサデバイス２０について）
上述のセンサデバイス２０について改めて説明する。センサデバイス２０は、発射光を出力することによりデータ送信を行う発光部２２と、入射光（例えば赤外線）を受光することによって各種のデータを受信する受光部２３と、を有する。そしてコネクタ２１は、物理的なピンを有する構成ではなく、表面が非金属により構成される。すなわちセンサデバイス２０は、電気的なピンを用いることなく、非金属の構成でデータ送受信を実現する構成である。これにより、センサデバイス２０に対する消毒洗浄を容易に行うことが出来ると共に、漏れ電流等の問題も解決することができる。
【００５４】
またセンサデバイス２０は、受電コイル２４から受電を行うことによりバッテリレスでの動作を実現することができる。これにより、センサデバイス２０の構成を簡略化できると共に、内部電源を不要とすることができる。
【００５５】
＜実施の形態２＞
続いて実施の形態２にかかる医療機器システム１について説明する。以下、実施の形態１と異なる点を中心に説明を行う。なお、以下の説明において実施の形態１と同様の名称及び符号を付した処理部は、特に言及しない限り実施の形態１と同様のものとする。
【００５６】
図５及び図６は、本実施の形態にかかる医療機器システム１の構成を示す概念図である。なお、医療機器システム１の動作イメージは、非特許文献１と同様であるため適宜参照されたい。医療機器システム１は、ホストモニタ３０（第１医療機器）及び搬送用モニタ４０（第２医療機器）を有する。なおホストモニタ３０と搬送用モニタ４０は、医療機器システム１を構成する装置の一例であり、この他の装置であってもよい。例えば搬送用モニタ４０に代わり計測ユニット（表示ディスプレイを持たない生体パラメータの計測ユニット）等がシステムを構成してもよい。ホストモニタ３０は、主に病室等において備え付けられ、大容量の生体データを記憶する。搬送用モニタ４０は、ホストモニタ３０と着脱可能に構成されている。搬送用モニタ４０は、ホストモニタ３０と取り外された場合にはホストモニタ３０のモニタリングを引き継いで生体データの保存を開始する。
【００５７】
ホストモニタ３０は、一般的なベッドサイド用のホストモニタの機能を有するとともに、実施の形態１の生体情報モニタ１０の各機能を有する。すなわちホストモニタ３０は、発光部１１、受光部１２、送電コイル１３、固定機構１５、電源プラグ１６、報知部１７（図示せず）、制御部１８（図示せず）、及び操作部１９（図示せず）を有する。また搬送用モニタ４０は、一般的な搬送用の生体情報モニタの機能を有すると共に、実施の形態１のセンサデバイス２０の各機能を有する。すなわち搬送用モニタ４０は、発光部２２、受光部２３、受電コイル２４、センシング部２５、及び制御部２６（図示せず）を有する。また搬送用モニタ４０は、ホストモニタ３０と取り外された場合にも動作可能であるため、図示しないバッテリも内蔵している。
【００５８】
ホストモニタ３０による接続検出処理は、実施の形態１と概ね同一であるため、図５及び図６を参照して簡略的に説明する。ホストモニタ３０内の制御部１８は、発光部１１から受光部１２に入射する入射光量に応じて搬送用モニタ４０の接続状態を判定する。なお、本実施の形態では受光部１２は外来光の影響を強く受ける。そのため発光部１１は、特定波長の発射光を出力する、または特定の発光パターンで発射光を出力する。制御部１８は、入射光の波長や受光パターン（受光タイミング）を基に発光部１１からの発射光の成分のみを抽出し、抽出した発射光を判定に用いる。
【００５９】
搬送用モニタ４０の接続を検出した場合、送電コイル１３は搬送用モニタ４０への送電を開始する。また発光部１１は搬送用モニタ４０へのデータの送信を開始し、受光部１２は搬送用モニタ４０からのデータ受信を開始する。
【００６０】
一方、搬送用モニタ４０は、ホストモニタ３０と接続した後に、赤外線によりデータを送受信する。
【００６１】
なお、他方の発射光を両機器が検出した場合に接続が確立されたと判定することも可能である。つまり制御部１８は、発光部２２からの発射光を受光部１２が受光したかを判定する。また制御部２６は、発光部１１からの発射光を受光部２３が受光したかを判定する。そして両機器がそれぞれ他方の機器からの受光を行った場合、両制御部（１８、２６）は、ホストモニタ３０と搬送用モニタ４０の接続が確立したと判定してもよい。この場合であっても「接続の有無により光量が変化する入射光の検出により接続状態を判定する」という点は同様である。
【００６２】
なお図５や図６に示すように、ホストモニタ３０における搬送用モニタ４０との接触面３１及び３２は、凹凸がなく略平面に構成される。同様に搬送用モニタ４０におけるホストモニタ３０との接触面４１及び４２は、凹凸がなく略平面に構成される。つまり物理的なピンにより接続する構成と比べて、接続面が平面的になる。これにより、接触不良のリスクを回避でき、防水性が向上すると共に、消毒や洗浄が容易となる。
【００６３】
続いて本実施の形態にかかる医療機器システム１の効果について説明する。本実施の形態においてもホストモニタ３０は、搬送用モニタ４０の接続によって光量が変化する入射光を基に、搬送用モニタ４０の接続を検知している。すなわちホストモニタ３０は、物理的なピンを用いることなく搬送用モニタ４０の接続を検出している。これにより、物理的なピンを用いていた際に問題となった各種の問題（漏れ電流、物理的ピンの破損による接続不良、形状複雑化による装置の消毒／洗浄の不便性）を解決することができる。
【００６４】
以上、本発明者によってなされた発明を実施の形態に基づき具体的に説明したが、本発明は既に述べた実施の形態に限定されるものではなく、その要旨を逸脱しない範囲において種々の変更が可能であることはいうまでもない。
【符号の説明】
【００６５】
１  医療機器システム
１０  生体情報モニタ
１１  発光部
１２  受光部
１３  送電コイル
１４  挿入口
１５  固定機構
１６  電源プラグ
１７  報知部
１８  制御部
１９  操作部
２０  センサデバイス
２１  コネクタ
２２  発光部
２３  受光部
２４  受電コイル
２５  センシング部
２６  制御部
３０  ホストモニタ
４０  搬送用モニタ
【図１】
0006431802.tif 000002
【図２】
0006431802.tif 000003
【図３】
0006431802.tif 000004
【図４】
0006431802.tif 000005
【図５】
0006431802.tif 000006
【図６】
0006431802.tif 000007